(57)【要約】【課題】過去の使用量で目標貯湯熱量が決定される学習制御の貯湯式給湯装置で、必要応じて容易にこの目標貯湯熱量の補正が出来るようにした。【解決手段】湯水を貯湯する貯湯タンク６と、前記貯湯タンク６内の湯水を沸き上げる加熱部２と、過去複数日分の使用湯量から翌日の目標貯湯熱量を決定する必要貯湯演算部２１と、表示部３８を備えたリモートコントローラ４とを備えた貯湯式給湯装置で、前記必要貯湯演算部２１で決定する翌日の目標貯湯熱量を、任意に補正可能とする補正手段４０を設けたので、決定している目標貯湯熱量を増加方向に補正して、湯切れの発生や追い焚きに時間がかかる不具合を防止し、経済的で便利な学習制御の欠点をカバーして、使用勝手の良い装置を提供するものである。【選択図】  図２
2005030661.tif 000002
【特許請求の範囲】
【請求項１】
湯水を貯湯する貯湯タンクと、前記貯湯タンク内の湯水を沸き上げる加熱部と、過去複数日分の使用湯量から翌日の目標貯湯熱量を決定する必要貯湯演算部と、表示部を備えたリモートコントローラとを備えた貯湯式給湯装置に於いて、前記必要貯湯演算部で決定する翌日の目標貯湯熱量を、任意に補正可能とする補正手段を設けた事を特徴とする貯湯式給湯装置。
【請求項２】
前記補正手段は、リモートコントローラに備えられた補正スイッチで構成され、補正内容は翌日の一回のみ実行された後、クリアされる事を特徴とする請求項１記載の貯湯式給湯装置。
【発明の詳細な説明】
【０００１】
【発明の属する技術分野】
この発明は学習機能を有した貯湯式給湯装置に関するものである。
【０００２】
【従来の技術】
従来よりこの種の貯湯式給湯装置では、最近１〜２週間の実績負荷を学習制御することにより、ユーザーの使用状況に合った貯湯温度を設定することが可能で、無駄のない経済的な給湯が行えるものである。（例えば、特許文献１参照。）
【０００３】
【特許文献１】
特許第３３９３６０１号公報
【０００４】
【発明が解決しようとする課題】
ところでこの従来のものでは、例えば入浴をシャワーで済ませることが多い夏期に、湯張りしたり、残湯の追い焚きが行われた場合には、湯切れを起こしたり、追い焚きに時間がかかる等の問題が発生したり、或いは不意なお客様の入浴で湯が足りなくなる等の問題点を有し、即ち学習制御を行うもので、いつもとは違いお湯を多く使用する使い方を一日だけ特別に使用としても、一日の使用量がすでに自動的に決められていることで、常に湯切れが発生すると言うものであった。
【０００５】
【課題を解決するための手段】
この発明はこの点に着目し上記問題点を解決する為、特にその構成を、湯水を貯湯する貯湯タンクと、前記貯湯タンク内の湯水を沸き上げる加熱部と、過去複数日分の使用湯量から翌日の目標貯湯熱量を決定する必要貯湯演算部と、表示部を備えたリモートコントローラとを備えた貯湯式給湯装置に於いて、前記必要貯湯演算部で決定する翌日の目標貯湯熱量を、任意に補正可能とする補正手段を設けたものである。
【０００６】
これにより、翌日には湯張り後に追い焚きをすることが分かっている場合や、来客があり入浴することが分かる場合には、前日に補正手段を操作して、過去複数日分の使用湯量から翌日の目標貯湯熱量を決定する必要貯湯量演算部に、決定している目標貯湯熱量を増加方向に補正して、湯切れの発生や追い焚きに時間がかかる不具合を防止し、経済的で便利な学習制御の欠点をカバーして、使用勝手の良い装置を提供するものである。
【０００７】
又請求項２では、補正手段をリモートコントローラに備えられた補正スイッチで構成し、更に補正内容は翌日の一回のみ実行された後、クリアされるようにしたので、補正操作が容易であり、しかも一回のみで自動的にクリアされるので、必要以上に沸き上げ温度及び貯湯量を増加させた状態のままで使用される心配がなく、極めて安全であり安心して使用されるものである。
【０００８】
【発明の実施の形態】
次にこの発明の一実施形態を図面に基づいて説明する。
１は貯湯タンクユニット、２はヒートポンプユニットよりなる加熱部、３は給湯栓、４はリモートコントローラ、５は電源である。
【０００９】
前記貯湯タンクユニット１は、湯水を貯湯する貯湯タンク６と、貯湯タンク６の上部に接続された出湯管７と、貯湯タンク６の下部に接続された給水管８と、出湯管７からの高温水と給水管８から分岐された分岐管９からの低温水とを混合するミキシング弁１０と、ミキシング弁８の下流に接続された給湯管１１と、該給湯管１１から分岐し浴槽１２に接続されて湯張りと高温差し湯による追い焚きを行う電磁開閉弁１３付きの風呂管１４と、給湯管１１に設けられた給湯温度センサ１５と、給湯管１１に設けられた給湯流量センサ１６と、給水管８に設けられた給水温度センサ１７と、出湯管７から分岐して接続された貯湯タンク６の過圧を逃す過圧逃し弁１８と、給水管８に設けられた入水圧を減圧する減圧弁１９と、貯湯タンク６の側面上下方向に複数設けられた貯湯温度センサ２０と、この貯湯タンクユニット１の制御を行うマイクロコンピュータを主に構成される給湯制御部２１と、貯湯タンク６と加熱部２とを接続して湯水を循環させる加熱循環回路２２とを備えて構成されている。
【００１０】
前記加熱部２は、二酸化炭素冷媒を圧縮するコンプレッサー２３と、凝縮器としての冷媒−水熱交換器２４と、減圧器２５と、蒸発器としての空気熱交換器２６よりなるヒートポンプ回路２７と、空気熱交換器２６に送風する送風機２８と、加熱循環回路２２途中に設けられた能力可変の循環ポンプ２９と、加熱循環回路２２の冷媒−水熱交換器２４入口側に設けられ、冷媒−水熱交換器２４に流入する湯水の温度を検出する熱交入口温度センサ３０と、加熱循環回路２２の冷媒−水熱交換器２４出口側に設けられ、冷媒−水熱交換器２４から流出する湯水の温度を検出する熱交出口温度センサ３１と、この加熱部２の制御を行うマイクロコンピュータを主に構成される加熱制御部３２とを備えて構成されている。
【００１１】
ここで、前記電源５は時間帯別電灯であり、夜間（ここでは２３時から翌７時まで）が割安な電力料金設定となっているもので、この割安な夜間電力を用いて夜間に一日に必要な貯湯熱量を沸かし上げて使用するものであり、また、この時間帯別電灯では昼間（７時から２３時まで）にも電力は供給される。なお、前記電源５は給湯制御部２１に接続され、この給湯制御部２１からリモートコントローラ４および加熱制御部３２（ヒートポンプ回路２７に必要な電力を含む）に有線にて通信信号が重畳されて電力供給されるものである。
【００１２】
そして、夜間時間帯になると前記給湯制御部２１が翌日に必要な貯湯熱量を演算し、この目標となる貯湯熱量を夜間時間帯の終了時までに沸き上げるよう加熱制御部３２に指示してヒートポンプ回路２７を作動させ、加熱循環回路２２の循環ポンプ２９を駆動開始する。そして、循環ポンプ２９の駆動により貯湯タンク６下部から取り出された湯水が加熱部２の冷媒−水熱交換器２４に流入して加熱され、加熱循環回路２２を介して貯湯タンク６の上部に戻されることにより高温の湯が貯湯される。
【００１３】
そして、貯湯タンク６の側面に設けられた貯湯温度センサ２０が所定の量の高温水が貯湯されたことを検出するか、または、熱交入口温度センサ３０が所定温度以上を検出すると、給湯制御部２１が加熱制御部３２へ加熱動作の停止を指令し、ヒートポンプ回路２７と循環ポンプ２９の作動が停止され、夜間時間帯の終了時までに貯湯動作を終了するものである。
【００１４】
更に貯湯タンク６内に貯湯される翌日の熱量は必要貯湯演算部を構成する給湯制御部２１により学習制御で、過去一週間分の給湯負荷から適切と思われる熱量を目標貯湯熱量として算出されるもので、貯湯される湯水の温度は季節（または給水温度センサ１７で検出する給水温度）および目標貯湯熱量の大小によって６０℃〜９０℃の範囲で変動するものである。
【００１５】
前記リモートコントローラ４には給湯設定温度を設定するアップ、ダウンスイッチ３３、３４と、湯張りスイッチ３５、追い焚きスイッチ３６等を含んだ操作部３７と、ドットマトリクス型の蛍光表示管よりなる表示部３８と、これら操作部３７、表示部３８を制御すると共に、前記給湯制御部２１と通信を行うマイクロコンピュータを主に構成されたリモコン制御部３９を備えており、前記表示部３８に操作部３７で設定された給湯設定温度や時刻情報および貯湯温度センサ２０で検知する残り貯湯量等が表示されるものである。なお、前記表示部３８はドットマトリクス型の液晶表示部としても良い。
【００１６】
４０は給湯制御部２１で算出された翌日の目標貯湯熱量に増減補正を加える補正手段を構成する補正スイッチで、リモートコントローラ４の操作部３７に設けられ、一回の押圧で補正モードとなり、アップスイッチ３３を一回押圧すれば、家族一人増加分の目標貯湯熱量となり、ダウンスイッチ３４を一回押圧すれば、家族一人減少分の目標貯湯熱量となり、そしてもう一度補正スイッチ４０を押圧することで確定されて、この補正された目標貯湯熱量がリモコン制御部３９を介して給湯制御部２１に記憶され、夜間時間帯での貯湯運転の目標貯湯熱量となるものである。
【００１７】
ここで言う目標貯湯熱量とは、沸き上げ温度と貯湯量との両方を言うもので、従って補正スイッチ４０による補正はこの両方の値を補正するものであるが、これに限らずどちらか一方を補正するようにしても良いものである。
【００１８】
次にこの発明一実施形態の作動について説明する。
今上記したように、貯湯タンク６には学習制御で過去一週間分の利用量で算出された目標貯湯熱量が、夜間時間帯を利用して貯湯されており、給湯栓３を開くと、給水管８からの圧により貯湯タンク６上部の高温水が出湯管７に押し出され、給湯制御部２１により制御されるミキシング弁１０にて分岐管９の低温水と給湯温度センサ１８の検出する温度が前記リモートコントローラ４の操作部３７で設定された給湯設定温度になるように混合されて給湯管１１を介して給湯されるものである。
【００１９】
又浴槽１２への湯張りは、リモートコントローラ４の操作部３７に設けられた湯張りスイッチ３５を押圧すれば、電磁開閉弁１３が開成しミキシング弁１０で設定温度にミキシングされたお湯を風呂管１４を介して所定量まで湯張りするものである。
更に追い焚きスイッチ３６を押圧すれば、高温のお湯を少量ずつ差し湯して浴槽１２内のお湯の温度を上昇させる追い焚きが行われるものである。
【００２０】
次に翌日には、いつもとは違い少し多めのお湯の使用が分かる場合、例えばいつもはシャワー（図示せず）で済ませている入浴を、翌日は湯張りから追い焚きも含む入浴を行う時や、翌日は来客があり入浴もすると言うような時には、学習制御による目標貯湯熱量では、湯切れが発生することが分かるので、目標貯湯熱量の補正を行うものであり、図３のフローチャートで説明する。
【００２１】
今沸き上げ作動に入る前で目標貯湯熱量の補正を行う場合、リモートコントローラ４の操作部３７に備えられた補正スイッチ４０を押圧すれば（ステップ４１）、補正モードとなりステップ４２でアップスイッチ３３を一回押圧すれば、ステップ４３に進み給湯制御部２１に記憶された目標貯湯熱量を「目標貯湯熱量＋α」に補正し、ステップ４４で再び補正スイッチ４０を押圧することで、ステップ４５に進んで目標貯湯熱量が「目標貯湯熱量＋α」で確定され、そして夜間時間帯になればステップ４６で沸き上げ運転が行われ、沸き上げ後はステップ４７で目標貯湯熱量「目標貯湯熱量＋α」がクリアされる。
【００２２】
従って、沸き上げ後の翌日にお湯の使用量が増えても、貯湯タンク６には十分な熱量があり湯切れを起こす心配がなく、安心して入浴したり、来客を気持ちよく迎えることが出来るものであり、又この目標貯湯熱量の補正は一回のみの限定的なもので、沸き上げが終了すれば自動的にクリアされて、次の沸き上げは再び学習制御で行われるので、学習制御による経済的で便利な給湯はそのまま行われ、極めて使用勝手が良いものである。
【００２３】
又逆に翌日には、入浴は勿論シャワーもいらず目標貯湯熱量を減少させる補正は、ステップ４１で補正スイッチ４０の押圧後に、ステップ４８でダウンスイッチ３４を一回押圧すれば、ステップ４９に進み給湯制御部２１に記憶された目標貯湯熱量を「目標貯湯熱量−α」に補正し、ステップ５０で再び補正スイッチ４０を押圧することで、ステップ５１に進んで目標貯湯熱量が「目標貯湯熱量−α」で確定され、そして夜間時間帯になればステップ５２で沸き上げ運転が行われ、沸き上げ後はステップ５３で目標貯湯熱量「目標貯湯熱量−α」がクリアされ、貯湯熱量が少ない給湯も行われるものである。
【００２４】
更に上記の補正モードで、アップ、ダウンスイッチ３３、３４を押圧する数に応じて補正量を一人分、二人分、三人分と増減するようにしても良く、又補正スイッチ４０をリモートコントローラ４に設けたが、貯湯タンクユニット１内の給湯制御部２１にディップスイッチとして備えても良いものである。
【００２５】
【発明の効果】
以上のようにこの発明によれば、翌日には湯張り後に追い焚きをすることが分かっている場合や、来客があり入浴することが分かる場合には、前日に補正手段を操作して、過去複数日分の使用湯量から翌日の目標貯湯熱量を決定する必要貯湯量演算部に、決定している目標貯湯熱量を増加方向に補正して、湯切れの発生や追い焚きに時間がかかる不具合を防止し、経済的で便利な学習制御の欠点をカバーして、使用勝手の良い装置を提供するものである。
【００２６】
又請求項２では、補正手段をリモートコントローラに備えられた補正スイッチで構成し、更に補正内容は翌日の一回のみ実行された後、クリアされるようにしたので、補正操作が容易であり、しかも一回のみで自動的にクリアされるので、必要以上に沸き上げ温度及び貯湯量を増加させた状態のままで使用される心配がなく、極めて安全であり安心して使用されるものである。
【図面の簡単な説明】
【図１】この発明の一実施形態を示す貯湯式給湯装置の概略構成図。
【図２】同電気回路の要部ブロック図。
【図３】同要部のフローチャート。
【符号の説明】
２  加熱部
４  リモートコントローラ
６  貯湯タンク
２１  給湯制御部（必要貯湯演算部）
３８  表示部
４０  補正スイッチ（補正手段）
【図１】
2005030661.tif 000003
【図２】
2005030661.tif 000004
【図３】
2005030661.tif 000005